(57)【要約】【課題】シェーディング板、光学系、原稿読取部のいずれに汚れがあるか判別して報知し得る画像読取装置を提供する。【解決手段】キャリッジをシェーディング板位置に移動させて、読み取りを行い（ＳＴ２〜ＳＴ６）、キャリッジをコンタクトガラス位置に移動させて原稿を読み取り（ＳＴ９〜ＳＴ１３）、更に原稿をＦＢＳにセットして、キャリッジを移動させて原稿の読み取りを行い（ＳＴ１４〜ＳＴ１７）、それぞれの読み取りで異常信号（汚れ）有りか否か検出し（ＳＴ５、ＳＴ１１、ＳＴ１８）、それぞれの異常の有無により、ＡＤＦコンタクトレンズ、ＦＢＳプラテン、ミラー・レンズ、シェーディング板の汚れを判別し（ＳＴ２２〜ＳＴ２４、ＳＴ２７、ＳＴ３１、ＳＴ３２、ＳＴ３５）、それぞれの汚れの別を個別に表示報知する（ＳＴ２５、２６、ＳＴ２８、２９、ＳＴ３３、３４、ＳＴ３６、３７）。【選択図】      図６
2004254153.tif 000002
【特許請求の範囲】
【請求項１】
光電変換素子と、シェーディング板と、原稿読取部と、シェーディング板及び原稿読取部からの光を光電変換素子に導く光学系と、光電変換素子からの画像信号のピークを保持するピーク保持回路と、ピークの大きさを判別する判別回路と、シェーディング板を読み取ったときのピークの大きさ及び原稿読取部で白紙原稿を読み取ったときのピークの大きさに基づき、シェーディング板、原稿読取部、光学系のいずれに汚れがあるか判別する汚れ箇所判別回路と、を備えたことを特徴とする画像読取装置。
【請求項２】
前記原稿読取部は、原稿を搬送しながら読み取る第１の原稿読取部と、光学系の少なくとも一部が移動し、原稿を読み取る第２の原稿読取部からなり、前記汚れ箇所判別回路は、シェーディング板を読み取ったときのピークの大きさ、第１の原稿読取部で白紙原稿を読み取ったときのピークの大きさ、及び第２の原稿読取部で白紙原稿を読み取ったときのピークの大きさに基づき、シェーディング板、光学系、第１の原稿読取部、第２の原稿読取部のいずれに汚れがあるかを判別することを特徴とする請求項１記載の画像読取装置。
【請求項３】
前記汚れ箇所判別回路の判別結果を報知する報知部を備えたことを特徴とする請求項１又は請求項２記載の画像読取装置。
【発明の詳細な説明】
【０００１】
【発明の属する技術分野】
この発明は、複写機、ファクシミリ装置、複写機能・ファックス機能等の多機能を有する複合機等の画像読取装置に関する。
【０００２】
【従来の技術】
一般に、画像読取装置の原稿の画素を読み取るスキャナでは、光学系（ミラー及びレンズ）に汚れ（ごみ等の付着）があった場合はもちろん、シェーディング板に汚れがある場合も正しくシェーディング補正ができないため、正しく画像を読み取ることができない。従来、このような汚れを判別するため、シェーディング板を複数ライン読み取り、読み取った画像データに平均値法とピークホールド法を適用し、シェーディング板の汚れと、光学系の汚れを区別して検出している（例えば、特許文献１参照）。
【０００３】
【特許文献１】
特開平１０−２４３１６７号公報
【０００４】
【発明が解決しようとする課題】
画像読取装置の汚れは、ＡＤＦ（原稿自動供給装置）のコンタクトガラス又はＦＢＳ（載置原稿読取装置）のプラテンガラスでも発生する。これらの汚れは、画像中の黒のノイズとして現れる。そのため、これらの汚れの状態も判別し、ユーザ又はサービスマンが適切な対応を取れることが望ましい。しかしながら、上記した特許文献１に記載の技術では、ＡＤＦのコンタクトガラスやＦＢＳのプラテンガラスの汚れまで判別できない。
この発明は上記問題点に着目してなされたものであって、シェーディング板、光学系、原稿読取部いずれに汚れがあるのかを判別してユーザやサービスマンが適切な対応を取ることができる画像読取装置を提供することを目的としている。
【０００５】
【課題を解決するための手段】
この発明の画像読取装置は、光電変換素子と、シェーディング板と、原稿読取部と、シェーディング板及び原稿読取部からの光を光電変換素子に導く光学系と、光電変換素子からの画像信号のピークを保持するピーク保持回路と、ピークの大きさを判別する判別回路と、シェーディング板を読み取ったときのピークの大きさ及び原稿読取部で白紙原稿を読み取ったときのピークの大きさに基づき、シェーディング板、原稿読取部、光学系のいずれに汚れがあるか判別する汚れ箇所判別回路と、を備えている。
【０００６】
この発明の画像読取装置において、前記原稿読取部は、原稿を搬送しながら読み取る第１の原稿読取部と、光学系の少なくとも一部が移動し、原稿を読み取る第２の原稿読取部からなり、前記汚れ箇所判別回路は、シェーディング板を読み取ったときのピークの大きさ、第１の原稿読取部で白紙原稿を読み取ったときのピークの大きさ、及び第２の原稿読取部で白紙原稿を読み取ったときのピークの大きさに基づき、シェーディング板、光学系、第１の原稿読取部、第２の原稿読取部のいずれに汚れがあるかを判別すると良い。
【０００７】
また、この発明の画像読取装置では、前記汚れ箇所判別回路の判別結果を報知する報知部を備えると良い。
【０００８】
【発明の実施の形態】
以下、実施の形態により、この発明をさらに詳細に説明する。図１は、この発明の画像読取装置の一実施形態である複合機（コピー機能、ファックス機能、読み取り機能等の多機能を有する）の構成を示す。
【０００９】
この実施形態複合機は、ＭＰＵ１と、ＮＣＵ２と、ＭＯＤＥＭ３と、ＲＯＭ４と、ＲＡＭ５と、画像メモリ６と、ＣＣＤラインイメージセンサ７と、画像処理部８と、スキャナ機構制御部９と、スキャナ機構駆動用のモータ１０と、操作部１１と、表示部１２と、通信用ＣＯＤＥＣ１３と、ＣＯＤＥＣ１４と、イメージメモリ１５と、プリンタ１６と、システムバス１７と、イメージバス１８とを備えている。
【００１０】
ＭＰＵ１は、この実施形態複合機の全体を制御する機能を有する。このＭＰＵ１には、ＮＣＵ（Ｍｅｔｗｏｒｋ  Ｃｏｎｔｒｏｌ  Ｕｎｉｔ）２、ＭＯＤＥＭ３が接続されている。ＮＣＵ２は、ＭＰＵ１によって制御されて、回線１９と当該複合機との接続を制御するとともに、通信相手の電話番号に応じたダイヤルパルスを送出する機能及び着信を検出する機能を有する。なお、回線１９は、一般公衆回線網（ＰＳＴＮ）に接続されている。
【００１１】
ＭＯＤＥＭ３は、送信データの変調及び受信データの復調、具体的にはデジタル信号である送信データをアナログの音声信号に変調して、ＮＣＵ２を介して回線１９に送出し、また逆に、回線１９からＮＣＵ２０を介して、受信したアナログの音声信号をデジタル信号に復調する。ＲＯＭ４は、この複合機全体の動作を制御するためのプログラム等を予め記憶してある。ＲＡＭ５は、ＭＰＵ１による制御に必要なデータ及び制御動作時に一時記憶が必要なデータ等を記憶する。画像メモリ６は、ＣＣＤラインイメージセンサ７で読み取られ、符号化された画像データを記憶し、または外部から回線１９とＭＯＤＥＭ３を介して、受信した画像データを記憶する。
【００１２】
ＣＣＤラインイメージセンサ７は、シェーディング板や原稿画像を光電変換して読み取る。画像処理部８は、ＣＣＤラインイメージセンサ７で読み取った画像データを受け、種々の処理を実行する。スキャナ機構制御部９は、ＦＢＳやＡＤＦ等の機構部を制御するため、モータ１０の駆動を制御する。
【００１３】
操作部１１は、スタートキー１１ａの他、コピーモード・ファックスモード等のモードを切り換えるモード切換キー、電話番号やファックス番号等の数字を入力するためのテンキー、ワンタッチキー、短縮キー、その他種々の動作を指示するためのキーを有する。表示部１２は、操作部１１の操作により入力された電話番号、ファックス番号、プリンタのトナー残量等の種々の情報を表示する。
【００１４】
通信用ＣＯＤＥＣ１３は、画像データを送信するために、ＭＨ、ＭＲ、ＭＭＲ方式等により、符号化（エンコード）し、受信画像データを記録するために復号（デコード）する。ＣＯＤＥＣ１４は、読み取った原稿画像データを送信又は記憶するために符号化する。イメージメモリ１５は、記録すべき画像のイメージデータを記憶する。プリンタ１６は、イメージメモリ１５に記憶されたイメージ画像データを記録する。
【００１５】
画像処理部８は、図２に示すように、ＣＣＤラインイメージセンサ７からの読取データをアナログ増幅するＡＦＥ（アナログフロントエンド回路）３０と、ＡＦＥ３０の出力をアナログからディジタルに変換するＡ／Ｄ変換器３１と、シェーディング補正回路３３と、シェーディング補正データを記憶するシェーディングＲＡＭ３４と、ガンマ補正回路３５と、２値化回路３６と、直／並変換回路３７と、異常判別回路３３ａとから構成されている。
【００１６】
ＡＦＥ回路３０は、ＣＣＤラインイメージセンサ７からの画像データをアナログ増幅し、出力する。Ａ／Ｄ変換器３１はＡＦＥ回路３０からのアナログ画像データを多値ディジタルデータに変換する。シェーディング補正回路３３は、原稿読み取り時のＡ／Ｄ変換器３１よりの出力を、シェーディングＲＡＭ３４に記憶してあるシェーディング補正データにより、シェーディング補正し、出力する。このシェーディング補正回路３３には、光学系、原稿読取部の汚れによる異常を検出する異常検出回路を備えている。ガンマ補正回路３５は、例えば所定のガンマ補正特性を有し、シェーディング補正後の画像データにガンマ補正を行う。２値化回路３６は、所定のしきい値でガンマ補正回路の出力を２値化する。２値化された画像データは、直／並（Ｓ／Ｐ）変換回路３７で並列データに変換して、イメージバス１８へ出力する。
【００１７】
シェーディング補正回路３３に含まれる異常検出回路３３ａは、図３に示すように、Ａ／Ｄ変換器３１からの多値画像データを入力に受けるラッチ回路４１、４２と、ラッチ回路４１の出力を入力に受けるラッチ回路４３と、ラッチ回路４１の多値画像データと出力多値画像データとを入力に受けて比較する第１の比較回路４４と、この第１の比較回路４４の一致出力ｃでセットされ、出力ｃバーでリセットされるフリップフロップ４５と、第１の比較回路４４のｃバー出力を受けると、ラッチ回路４３の出力からラッチ回路４２の出力を減算する減算回路４６と、基準値を記憶するレジスタ４７と、減算回路４６の出力とレジスタ４７の基準値とを比較し、減算回路４６の出力の方がレジスタ４７の基準値よりも大なるときに、異常信号を出力する第２の比較回路４８とから構成されている。
【００１８】
この異常検出回路にシェーディング板、あるいは原稿の白紙の読取信号を受けると、白画像の中に汚れなどにより黒信号が含まれると、白レベルから黒レベルに受光信号レベルが低下してゆく。それにより、ラッチ回路４１に記憶された画素レベルと、次に入力される画素レベルを第１の比較回路４４で比較され、受光レベルの低下が検出され、第１の比較回路４４のｃ出力がハイとなり、フリップフロップ４５がセットされ、そのセット出力により、ラッチ回路４３にラッチ回路４１の出力がラッチされる。その後、受光レベルが低下する間は、その都度、新たに入力される画素レベルがラッチ回路４２に更新ラッチされる。やがて、黒レベルが白方向に向けて、正方向に至ると、ラッチ回路４１の出力レベルよりも入力レベルの方が低くなり、第１の比較回路４４はｃバー出力をハイとする。これにより、減算回路４６はラッチ４３の出力からラッチ回路４２の出力を減算し、汚れによる黒レベル値の大きさを算出する。この減算回路４６の出力とレジスタ４７の基準値とを、第２の比較回路４８で比較し、減算回路４６の出力の方が大の場合に異常信号を出力する。
【００１９】
この実施形態複合機では、ＡＤＦのコンタクトガラスの汚れ（第１の原稿読取部の汚れ）、ＦＢＳのプラテンの汚れ（第２の原稿読取部の汚れ）、シェーディング板の汚れ、ミラー・レンズの汚れ（光学系の汚れ）を区別して、検出できる。
【００２０】
次に、この実施形態複合機における汚れ検出モードの処理動作を図４〜図６に示すフロー図を参照して説明する。この汚れ検出モードに入ると、ステップＳＴ１において、フラグＦ１、Ｆ２、Ｆ３をいずれも「０」（リセット）とする。次に、ステップＳＴ２へ移行する。ステップＳＴ２においては、キャリッジがシェーディング板位置であるか否か判定する。シェーディング板位置でないと、ステップＳＴ３へ移行する。一方、シェーディング板位置であると、ステップＳＴ３へスキップして、ステップＳＴ４へ移行する。
【００２１】
ステップＳＴ３においては、キャリッジをシェーディング板位置に移動するようモータ１０を駆動する。そして、ステップＳＴ４へ移行する。ステップＳＴ４においては、ＣＣＤラインイメージセンサ７により、シェーディング板を読み取る。続いて、ステップＳＴ５へ移行する。ステップＳＴ５においては、異常検出回路３３ａによりの信号に基づいて、読み取り信号に異常がないか否かを判定する。異常信号有りの場合は、ステップＳＴ６へ移行する。一方、異常信号無しの場合、ステップＳＴ６をスキップして、ステップＳＴ７へ移行する。
【００２２】
ステップＳＴ６においては、フラグＦ１を「１」（セット）とする。そして、ステップＳＴ７へ移行する。ステップＳＴ７においては、表示部１２の画面に「原稿トレイに白紙をセットしてスタートキーを押して下さい。」の文字メッセージを表示する。次に、ステップＳＴ８へ移行する。ステップＳＴ８において、操作部１１のスタートキー１１ａが操作されていると、ステップＳＴ９へ移行する。なお、ここで用いる白紙は、ＡＤＦの最大原稿読取幅を有する紙である。
【００２３】
ステップＳＴ９においては、キャッリッジをコンタクトガラス位置に移動するようモータ１０を駆動する。ステップＳＴ１０においては、原稿送りを開始する。続いて、ステップＳＴ１１へ移行する。ステップＳＴ１１においては、異常検出回路３３ａよりの信号に基づいて、読み取り信号に異常がないか否か判定する。異常信号有りの場合は、ステップＳＴ１２へ移行する。一方、異常信号無しの場合は、ステップＳＴ１２へスキップして、ステップＳＴ１３へ移行する。
【００２４】
ステップＳＴ１２においては、フラグＦ２を「１」とする。続いて、ステップＳＴ１３へ移行する。ステップＳＴ１３においては、原稿読取終了か否かを判定する。読み取り終了でない場合は、ステップＳＴ１１へ戻り、読み取り終了となるまで、ステップＳＴ１１〜ＳＴ１３の処理を繰り返す。一方、原稿読み取り終了で、ステップＳＴ１４へ移行する。ステップＳＴ１４においては、表示部１２の画面に「原稿をＦＢＳにセットして、カバーを閉じ、スタートキーを押して下さい。」の文字メッセージを表示する。そして、ステップＳＴ１５へ移行する。ステップＳＴ１５において、操作部１１のスタートキー１１ａが操作されると、ステップＳＴ１６へ移行する。なお、ここではＦＢＳの最大読取範囲の大きさを有する白紙を原稿として用いる。
【００２５】
ステップＳＴ１６においては、キャリッジの移動を開始する。次に、ステップＳＴ１７へ移行する。ステップＳＴ１７においては、ＣＣＤラインイメージセンサ７により、原稿読み取りを開始する。次に、ステップＳＴ１８へ移行する。ステップＳＴ１８においては、異常検出回路３３ａの出力信号により、読み取り信号に異常がないか否か判定する。異常信号有りの場合は、ステップＳＴ１９へ移行する。一方、異常無しの場合は、ステップＳＴ１９をスキップして、ステップＳＴ２０へ移行する。ステップＳＴ１９においては、フラグＦ３を「１」（セット）とする。ステップＳＴ２０においては、原稿読み取り終了か否か判定する。原稿読み取り終了でない場合は、ステップＳＴ１８へ戻り、原稿読み取り終了となるまで、ステップＳＴ１８〜ＳＴ２０の処理を繰り返す。一方、原稿読み取り終了で、ステップＳＴ２１へ移行する。
【００２６】
ステップＳＴ２１においては、キャリッジをホームポジションへ移動する。続いて、ステップＳＴ２２へ移行する。ステップＳＴ２２においては、フラグＦ１が「１」か否か判定する。フラグＦ１が「１」でない場合は、ステップＳＴ２３へ移行する。一方、フラグＦ１が「１」の場合は、ステップＳＴ３１へ移行する。ステップＳＴ２３においては、フラグＦ２が「１」か否か判定する。フラグＦ２が「１」でない場合は、ステップＳＴ２７へ移行する。一方、フラグＦ２が「１」の場合は、ステップＳＴ２４へ移行する
ステップＳＴ２４において、フラグＦ３が「１」か否か判定する。フラグＦ３が「１」の場合は、ステップＳＴ２５へ移行する。一方、フラグＦ３が「１」でない場合は、ステップＳＴ２６へ移行する。ステップＳＴ２５においては、表示部１２の画面に「ＡＤＦコンタクトガラスとＦＢＳプラテンが汚れています。」の文字メッセージを表示する。そして、リターンする。ステップＳＴ２６においては、表示部１２の画面に「ＡＤＦコンタクトガラスが汚れています。」の文字メッセージを表示する。そして、リターンする。
【００２７】
ステップＳＴ２７において、ステップＳＴ２４と同様、フラグＦ３が「１」か否か判定する。フラグＦ３が「１」の場合は、ステップＳＴ２８へ移行する。一方、フラグＦ３が「１」でない場合は、ステップＳＴ２９へ移行する。ステップＳＴ２８においては、表示部１２の画面に「ＦＢＳプラテンが汚れています。」の文字メッセージを表示する。そして、リターンする。一方、ステップＳＴ２９においては、表示部１２の画面に「異常はありません。」の文字メッセージを表示する。そして、リターンする。
【００２８】
ステップＳＴ３１においては、フラグＦ２が「１」か否か判定する。フラグＦ２が「１」の場合は、ステップＳＴ３２へ移行する。一方、フラグＦ２が「１」でない場合は、ステップＳＴ３５へ移行する。
【００２９】
ステップＳＴ３２において、フラグＦ３が「１」か否か判定する。フラグＦ３が「１」の場合は、ステップＳＴ３３へ移行する。一方、フラグＦ３が「１」でない場合は、ステップＳＴ３４へ移行する。ステップＳＴ３３においては、表示部１２の画面に「ミラー・レンズが汚れています。」の文字メッセージを表示する。そして、リターンする。ステップＳＴ３４においては、表示部１２の画面に「ミラー・レンズ、ＡＤＦコンタクトガラスが汚れています。」の文字メッセージを表示する。そして、リターンする。
【００３０】
ステップＳＴ３５において、ステップＳＴ３２と同様、フラグＦ３が「１」か否か判定する。フラグＦ３が「１」の場合は、ステップＳＴ３６へ移行する。一方、フラグＦ３が「１」でない場合は、ステップＳＴ３７へ移行する。ステップＳＴ３６においては、表示部１２の画面に「ミラー・レンズ、ＦＢＳのプラテンが汚れています。」の文字メッセージを表示する。そして、リターンする。一方、ステップＳＴ３７においては、表示部１２の画面に「シェーディングプレートが汚れています。」の文字メッセージを表示する。そして、リターンする。
【００３１】
上記実施形態において、ＡＤＦコンタクトガラス、ＦＢＳのプラテン、ミラー・レンズ等の汚れを報知するメッセージは、表示部に表示するようにしているが、これに代えて音声で、あるいは音声とともに報知しても良い。更に、場合によっては、印字出力しても良い。
【００３２】
【発明の効果】
この発明によれば、光電変換素子と、シェーディング板と、原稿読取部と、シェーディング板及び原稿読取部からの光を光電変換素子に導く光学系と、光電変換素子からの画像信号のピークを保持するピーク保持回路と、ピークの大きさを判別する判別回路と、シェーディング板を読み取ったときのピークの大きさ及び原稿読取部で白紙原稿を読み取ったときのピークの大きさに基づき、シェーディング板、原稿読取部、光学系のいずれに汚れがあるか判別する汚れ箇所判別回路と、を備えているので、シェーディング板、光学系、原稿読取部のいずれに汚れがあるかを判別してユーザやサービスマンが適切な対応を取ることができる。特に、第１の原稿読取部（ＡＤＦ）と第２の原稿読取部（ＦＢＳ）との両者を備えている場合は、どちらに汚れが存在するかも判別できて、便利である。
【図面の簡単な説明】
【図１】この発明の画像読取装置の一実施形態である複合機の全体構成を示すブロック図である。
【図２】同実施形態複合機の画像処理部の内部構成を示すブロック図である。
【図３】同画像処理部を構成する異常判別回路の内部構成を示すブロック図である。
【図４】同実施形態複合機の汚れ検出モードの処理動作を説明するためのフロー図である。
【図５】図４とともに、同実施形態複合機の汚れ検出モードの処理動作を説明するためのフロー図である。
【図６】図４、図５とともに、同実施形態複合機の汚れ検出モードの処理動作を説明するためのフロー図である。
【符号の説明】
１      ＭＰＵ
２      ＮＣＵ
３      ＭＯＤＥＭ
４      ＲＯＭ
５      ＲＡＭ
６      画像メモリ
７      ＣＣＤラインセンサ
８      画像処理部
９      スキャナ機構制御部
１０    モータ
１１    操作部
１１ａ  スタートキー
１２    表示部
１３    通信用ＣＯＤＥＣ
１４    ＣＯＤＥＣ
１５    イメージメモリ
１６    プリンタ
１７    システムバス
１８    イメージバス
【図１】
2004254153.tif 000003
【図２】
2004254153.tif 000004
【図３】
2004254153.tif 000005
【図４】
2004254153.tif 000006
【図５】
2004254153.tif 000007
【図６】
2004254153.tif 000008